(57)【要約】【課題】蒸気発生装置が傾いた場合であっても、ボイラータンク内に貯留された水が噴出ノズル内部に流れ込むことを抑制することができる蒸気発生装置を提供する。【解決手段】蒸気発生装置としての吸入器１００Ａは、上部側に連通口４Ｄを有し、水７を貯留するボイラータンク１Ａと、ボイラータンク１Ａの内部に連通し、水７を加熱するためボイラータンク１Ａに隣接して配設されたヒータ９と、連通孔４Ｄに接続され、ボイラータンク１Ａの内部に発生した蒸気を連通孔４Ｄを通してボイラータンク１Ａの外部に排出する噴出ノズル１０と、ボイラータンク１Ａの内周面４Ａ上における連通口４Ｄの下方を含む位置に、内周面４Ａから遠ざかる方向に延設された遮蔽部材８とを備える。【選択図】図２
2011193893.tif 000002
【特許請求の範囲】
【請求項１】
上部側に連通孔を有し、内部に所定の液体を貯留するボイラータンクと、
前記ボイラータンクの前記内部に連通し、前記液体を加熱するため前記ボイラータンクに隣接して配設されたヒータと、
前記連通孔に接続され、前記ボイラータンクの前記内部に発生した蒸気を前記連通孔を通して前記ボイラータンクの外部に排出する噴出ノズルと、
前記ボイラータンクの内周面上における前記連通孔の下方を含む位置に、前記内周面から遠ざかる方向に延設された遮蔽部材と、を備える、
蒸気発生装置。
【請求項２】
前記遮蔽部材は、前記ボイラータンクの前記内周面上における前記連通孔の下方を含む位置から、前記連通孔が設けられている位置とは反対側の前記ボイラータンクの前記内周面に向かって延設されている、
請求項１に記載の蒸気発生装置。
【請求項３】
前記ボイラータンクは、収容部と、内部に前記液体を貯留し前記収容部に着脱可能に収容されるケースとを含んで構成され、
前記遮蔽部材は、前記ケースの内周面上において前記ケースの前記内周面から遠ざかる方向に延設され、
前記遮蔽部材は、前記ケースが前記収容部に収容されることにより、前記連通孔の下方を含むように位置する、
請求項１または２に記載の蒸気発生装置。
【発明の詳細な説明】
【技術分野】
【０００１】
この発明は蒸気発生装置に関し、特に、液体を気化して蒸気を発生させる蒸気発生装置に関する。
【背景技術】
【０００２】
特開平４−３４８７５８号公報報（特許文献１）、および特開平５−１３７７８７号公報（特許文献２）は、蒸気発生装置の一例として、吸入器に関する発明を開示している。各特許文献に開示されている吸入器は、ボイラータンクを内蔵している。ボイラータンクの上部側には、噴出ノズルが斜め上方向に向かって延在するように取り付けられている。
【０００３】
各特許文献に開示されている吸入器においては、吸入器が傾くと、ボイラータンク内に貯留された水が噴出ノズル内部に流れ込む場合がある。噴出ノズルが水によって閉塞され、ボイラータンク内に発生した蒸気が噴出ノズルから良好に噴出されない場合がある。
【先行技術文献】
【特許文献】
【０００４】
【特許文献１】特開平４−３４８７５８号公報
【特許文献２】特開平５−１３７７８７号公報
【発明の概要】
【発明が解決しようとする課題】
【０００５】
本発明は、蒸気発生装置が傾いた場合であっても、ボイラータンク内に貯留された水が噴出ノズル内部に流れ込むことを抑制することができる蒸気発生装置を提供することを目的とする。
【課題を解決するための手段】
【０００６】
本発明に基づく蒸気発生装置は、上部側に連通孔を有し、内部に所定の液体を貯留するボイラータンクと、上記ボイラータンクの上記内部に連通し、上記液体を加熱するため上記ボイラータンクに隣接して配設されたヒータと、上記連通孔に接続され、上記ボイラータンクの上記内部に発生した蒸気を上記連通孔を通して上記ボイラータンクの外部に排出する噴出ノズルと、上記ボイラータンクの内周面上における上記連通孔の下方を含む位置に、上記内周面から遠ざかる方向に延設された遮蔽部材とを備える。
【０００７】
本発明の他の形態に基づく蒸気発生装置は、上記遮蔽部材は、上記ボイラータンクの上記内周面上における上記連通孔の下方を含む位置から、上記連通孔が設けられている位置とは反対側の上記ボイラータンクの上記内周面に向かって延設されている。
【０００８】
本発明のさらに他の形態に基づく蒸気発生装置は、上記ボイラータンクは、収容部と、内部に上記液体を貯留し上記収容部に着脱可能に収容されるケースとを含んで構成され、上記遮蔽部材は、上記ケースの内周面上において上記ケースの上記内周面から遠ざかる方向に延設され、上記遮蔽部材は、上記ケースが上記収容部に収容されることにより、上記連通孔の下方を含むように位置する。
【発明の効果】
【０００９】
本発明によれば、蒸気発生装置が傾いた場合であっても、ボイラータンク内に貯留された水が噴出ノズル内部に流れ込むことを抑制することができる蒸気発生装置を得ることができる。
【図面の簡単な説明】
【００１０】
【図１】実施の形態１における吸入器の構成を示す斜視図である。
【図２】実施の形態１における吸入器の構成を示す断面図である。
【図３】実施の形態１におけるボイラータンクおよび遮蔽部材を示す斜視図であり、図２における矢印ＩＩＩ方向からボイラータンクを見たときの概略図である。
【図４】実施の形態１における吸入器が傾いた様子を示す断面図である。
【図５】実施の形態１の変形例におけるボイラータンクおよび遮蔽部材の構成を示す斜視図である。
【図６】実施の形態２における吸入器の構成を示す断面図である。
【図７】実施の形態２におけるボイラータンクの構成を示す断面図である。
【図８】実施の形態２の第１変形例におけるボイラータンクの構成を示す斜視図である。
【図９】実施の形態２の第２変形例におけるボイラータンクの構成を示す斜視図である。
【発明を実施するための形態】
【００１１】
本発明に基づいた各実施の形態における蒸気発生装置について、以下、図面を参照しながら説明する。以下の各実施の形態においては、蒸気発生装置の一例として、蒸気圧を利用して吸入用の水を噴出する蒸気式の吸入器について説明する。
【００１２】
以下の各実施の形態において、個数、量などに言及する場合、特に記載がある場合を除き、本発明の範囲は必ずしもその個数、量などに限定されない。以下に説明する各実施の形態において、同一の部品、相当部品に対しては、同一の参照番号を付し、重複する説明は繰り返さない場合がある。
【００１３】
［実施の形態１］
図１〜図４を参照して、本実施の形態について説明する。図１〜図３を参照して、本実施の形態における吸入器１００Ａの構成について説明する。吸入器１００Ａは、蒸気発生装置の一例である。
【００１４】
主として図１を参照して、吸入器１００Ａは、吸入口１５、カバー１６、本体ケース１７、操作部１７Ａ、電源コード１８、給排水タンク１３、噴出ノズル１０（図２参照、以下同じ）、飛散部材１１、吸入チューブ１２、ボイラータンク１Ａ、蓋部材３、加熱室６、遮蔽部材８、およびヒータ９を備えている。
【００１５】
図２を参照して、吸入器１００Ａは、テーブル等の載置面２０上に載置されて使用される。吸入口１５は、カバー１６に取り付けられている。吸入口１５は開口しており、本体ケース１７の内部に連通している。カバー１６は、本体ケース１７に着脱可能に取り付けられている。給排水タンク１３は、本体ケース１７の側面に着脱可能に取り付けられている。噴出ノズル１０、飛散部材１１、吸入チューブ１２、ボイラータンク１Ａ、蓋部材３、加熱室６、遮蔽部材８、およびヒータ９は、本体ケース１７（およびカバー１６）の内部に位置している。
【００１６】
ボイラータンク１Ａは有底筒状に形成され、ボイラータンク１Ａの上部は開口している。ボイラータンク１Ａの上部は、蓋部材３により封止される。ボイラータンク１Ａの下部側の側面に隣接するように、加熱室６が配設されている。ボイラータンク１Ａの下部側の側面に給水路４Ｂが設けられている。ボイラータンク１Ａの略中央の側面に連通路４Ｃが設けられている。
【００１７】
給水路４Ｂにより、ボイラータンク１Ａと加熱室６の下部側とが連通している。連通路４Ｃにより、ボイラータンク１Ａと加熱室６の上部側とが連通している。加熱室６を挟んでボイラータンク１Ａの反対側には、ヒータ９が配設されている。ヒータ９には、電源コード１８を通して電力が供給される。
【００１８】
ボイラータンク１Ａの上部側の側面には、連通孔４Ｄが設けられている。噴出ノズル１０は、連通孔４Ｄに接続されている。噴出ノズル１０は、連通孔４Ｄを通してボイラータンク１Ａの内部に連通している。噴出ノズル１０は、ボイラータンク１Ａの斜め上方向に位置する吸入口１５に向かって延在している。
【００１９】
噴出ノズル１０の先端側には、飛散部材１１が取り付けられている。飛散部材１１は、噴出ノズル１０から噴出される蒸気に略交差するように配設されている。飛散部材１１には、飛散部材１１から垂れ下がるように吸入チューブ１２が取り付けられている。吸入チューブ１２は、給排水タンク１３の底付近にまで延在している。
【００２０】
図３は、図２における矢印ＩＩＩ方向からボイラータンク１Ａを見たときの概略図である。図３においては、説明の便宜上、ボイラータンク１Ａの一部（一点鎖線部）を破断して示しているが、実際には当該一部は連続している。後述する図５のボイラータンク１ＡＡの一部（一点鎖線部）においても同様である。
【００２１】
図３を参照して、遮蔽部材８は、ボイラータンク１Ａの内周面４Ａ上における連通孔４Ｄの下方に設けられている。遮蔽部材８は、連通孔４Ｄの下方から、内周面４Ａに対して遠ざかる方向に略水平に延在している。本実施の形態における遮蔽部材８は、略半円形の薄板状に構成されている。遮蔽部材８の円弧状に形成されている端面は、内周面４Ａに接している。遮蔽部材８は、ボイラータンク１Ａの中心付近まで延在している（図２参照）。
【００２２】
（動作）
図２を参照して、吸入器１００Ａの動作について説明する。カバー１６が本体ケース１７から取り外され、蓋部材３がボイラータンク１Ａから取り外される。ボイラータンク１Ａの内部に、所定の液体としてたとえば水７が貯留される。蓋部材３がボイラータンク１Ａに取り付けられ、カバー１６が本体ケース１７に取り付けられる。
【００２３】
給水路４Ｂを通して、少量の水７が加熱室６に供給される（図示上の便宜のため、図２においては、加熱室６に供給された少量の水７を記載していない）。操作部（図１参照）を操作して吸入器１００Ａの電源を入れることにより、ヒータ９が駆動する。ヒータ９は加熱室６の内部に供給された水７を加熱する。ヒータ９により加熱室６の内部に蒸気が発生する。
【００２４】
蒸気は、連通路４Ｃを通過する。蒸気は、遮蔽部材８（の端面）とボイラータンク１Ａの内周面４Ａとの間を通過し、ボイラータンク１Ａの上部に到達する。蒸気は、遮蔽部材８の上方および連通孔４Ｄを順次通過した後、噴出ノズル１０から飛散部材１１に向かって噴出される。噴出ノズル１０から飛散部材１１に向かって蒸気が噴出されることにより、飛散部材１１付近において蒸気圧（負圧）が発生する。
【００２５】
一方で、給排水タンク１３の内部に、所定の液体としてたとえば水１４が貯留されている。吸入チューブ１２は、飛散部材１１付近において発生した蒸気圧を利用して、水１４を給排水タンク１３から吸い上げる（ベンチュリー効果）。水１４は、噴出ノズル１０から噴出された蒸気とともに、吸入口１５から排出される。
【００２６】
（効果）
図４を参照して、所定の外力が吸入器１００Ａに作用して、吸入器１００Ａが矢印ＡＲＦ方向側（噴出ノズル１０が延在している側）に傾いたとする。ボイラータンク１Ａの内部に貯留されている水７は、噴出ノズル１０が接続されている連通孔４Ｄに向かって流れようとする。水７は、遮蔽部材８によりその通流を遮られる。水７は、連通孔４Ｄにまでは到達せず、遮蔽部材８の下方において滞留（停留）する。
【００２７】
吸入器１００Ａによれば、吸入器１００Ａが矢印ＡＲＦ方向側に傾いたとしても、水７が噴出ノズル１０に流れ込むことが抑制される。噴出ノズル１０が水７によって閉塞されることも抑制され、ボイラータンク１Ａ（加熱室６）内に発生した蒸気は、噴出ノズル１０から良好に噴出される。
【００２８】
［実施の形態１の変形例］
上述の実施の形態１における遮蔽部材８は、ボイラータンク１Ａの内周面４Ａ上において、連通孔４Ｄの下方に設けられているが、この構造には限定されない。遮蔽部材８は、ボイラータンク１Ａの内周面４Ａ上において、連通孔４Ｄの下方を含むように設けられていればよい。
【００２９】
図５を参照して、たとえばボイラータンク１ＡＡのように、遮蔽部材８は筒状に形成されていてもよい。遮蔽部材８は、ボイラータンク１ＡＡの内周面４Ａ上において、連通孔４Ｄの周囲を囲んでいる。遮蔽部材８は、内周面４Ａに対して遠ざかる方向に略水平に延在している。遮蔽部材８は、上述の実施の形態１のボイラータンク１Ａにおける遮蔽部材８（図２参照）と同様に、ボイラータンク１ＡＡの中心軸付近まで延在しているとよい。
【００３０】
遮蔽部材８の下方部分が、ボイラータンク１ＡＡの内周面４Ａ上において、連通孔４Ｄの下方を含んでいる。このような遮蔽部材８を備えた吸入器であっても、上記の実施の形態１における吸入器１００Ａと同様な効果を得ることができる。
【００３１】
また、遮蔽部材８は、連通孔４Ｄの下方を含む位置から、連通孔４Ｄが設けられている位置とは反対側の内周面４Ａに向かって延設されているとよい。図５に示すように、遮蔽部材８が筒状に形成されている場合には、遮蔽部材８は、連通孔４Ｄを囲んでいる位置から、ボイラータンク１ＡＡの内周面４Ａに対して法線方向に沿うように延設されているとよい。
【００３２】
上記構成において、吸入器が矢印ＡＲＬ側に傾斜したとする。この場合であっても、ボイラータンク１ＡＡに貯留された水は、噴出ノズル１０に流れ込むことが抑制される。同様に、吸入器が矢印ＡＲＲ側に傾斜したとする。この場合であっても、ボイラータンク１ＡＡに貯留された水は、噴出ノズル１０に流れ込むことが抑制される。
【００３３】
［実施の形態２］
図６および図７を参照して、本実施の形態における吸入器１００Ｂの構成について説明する。吸入器１００Ｂも、蒸気発生装置の一例である。
【００３４】
図６を参照して、吸入器１００Ｂは、吸入口１５、カバー１６、本体ケース１７、操作部（図示せず）、電源コード１８、給排水タンク１３、噴出ノズル１０、飛散部材１１、吸入チューブ１２、ボイラータンク１Ｂ、ケース２、キャップ５、収容部４、蓋部材３、加熱室６、遮蔽部材８、およびヒータ９を備えている。吸入器１００Ｂは、テーブル等の載置面２０上に載置されて使用される。なお、図６においては、ヒータ９と電源コード１８からの配線とを接続する端子部などの詳細な構造については記載していない。図７においても同様である。
【００３５】
吸入口１５、カバー１６、本体ケース１７、操作部、電源コード１８、給排水タンク１３、噴出ノズル１０、飛散部材１１、吸入チューブ１２および蓋部材３は、上述の実施の形態１における吸入器１００Ａ（図２参照）と略同様に構成される。
【００３６】
図７を参照して、ボイラータンク１Ｂはカップ状に形成され、ボイラータンク１Ｂの上部は開口している。ボイラータンク１Ｂの上部は、蓋部材３（図６参照）により封止される。ボイラータンク１Ｂは、ケース２と収容部４とキャップ５とを含んで構成されている。
【００３７】
ボイラータンク１Ｂにおいては、収容部４の下部側の側面が開口している。当該開口を含む収容部４の下部側側面は、鉛直方向に対して傾斜するように構成されている。
【００３８】
ケース２の外周面の形状は、収容部４の内周面の形状に対応している。ケース２は、矢印ＡＲに示すように、収容部４に着脱可能に収容される。ケース２が収容部４に収容されることにより、ケース２の外周面は、収容部４の下部側側面に設けられた開口の一方を塞ぐ。ケース２の外周面は、加熱室６の一部の表面６Ａを規定する。加熱室６を形成するケース２の外周面（６Ａ）は、収容部４の内周面の形状に対応して、鉛直方向に対して傾斜するように構成されている。
【００３９】
ヒータ９は、ケース２が収容部４に収容された状態において、収容部４（加熱室６）を挟んでケース２の反対側に位置している。ヒータ９は、収容部４の下部側側面に設けられた開口の他方を塞ぐように取り付けられる。ヒータ９の表面は、加熱室６の一部の表面６Ｂを規定する。加熱室６を形成するヒータ９の表面（６Ｂ）も、加熱室６を形成するケース２の外周面（６Ａ）と同様に、鉛直方向に対して傾斜するように配設されている。
【００４０】
ケース２が収容部４に収容された状態において、加熱室６を形成するケース２の外周面（６Ａ）と、加熱室６を形成するヒータ９の表面（６Ｂ）とは、略並行な位置関係となっている。ケース２が収容部４に収容されることにより、収容部４の下部側側面の開口と、ケース２の外周面（６Ａ）と、ヒータ９の表面（６Ｂ）とにより、加熱室６が形成される。
【００４１】
ケース２の下部側に、給水路２Ｂが開口して設けられている。図７左側を参照して、キャップ５は、たとえば断面視略Ｈ形状に構成される。キャップ５は、給水路２Ｂを貫通するように配設される。図７右側を参照して、キャップ５は、ケース２が収容部４に収容されることにより、収容部４の内周面に当接する。ケース２が収容部４に収容されることにより、キャップ５は、紙面上方向に押し上げられ、給水路２Ｂに対する閉塞状態を解除する。給水路２Ｂにより、ケース２の内部と加熱室６の下部側とが連通する。
【００４２】
ケース２のやや上部側の側面に、連通路２Ｃが設けられている。ケース２が収容部４に収容された状態において、連通路２Ｃにより、ケース２の内部と加熱室６の上部側とが連通している。
【００４３】
ケース２の上部側において、連通路２Ｃが設けられている側とは反対の側面に、連通孔２Ｄが設けられている。収容部４の上部側の側面には、連通孔２Ｄに対応するように、連通孔４Ｄが設けられている。ケース２が収容部４に収容された状態において、連通孔２Ｄおよび連通孔４Ｄにより、ケース２の内部と噴出ノズル１０とが連通している。
【００４４】
遮蔽部材８は、ケース２の内周面２Ａ上に設けられている。遮蔽部材８は、連通孔２Ｄの下方に位置している。ケース２が収容部４に収容された状態において、遮蔽部材８は、収容部４の連通孔４Ｄの下方に位置する。遮蔽部材８は、ケース２の内周面２Ａに対して遠ざかる方向に略水平に延在している。本実施の形態における遮蔽部材８は、略半円形の薄板状に構成されている。遮蔽部材８は、ケース２の中心付近まで延在しているとよい。
【００４５】
（動作）
図６を参照して、吸入器１００Ｂの動作について説明する。カバー１６が本体ケース１７から取り外され、蓋部材３がボイラータンク１Ｂから取り外される。ケース２が収容部４に収容された状態で、ケース２の内部に、所定の液体としてたとえば水７が貯留される。
【００４６】
図７を参照して、ケース２が収容部４に収容されていない状態で、ケース２の内部に水７が貯留されてもよい。吸入器１００Ｂにおけるケース２は、キャップ５を有している。ケース２が収容部４に収容されていない状態において、ケース２に水７が注がれる。キャップ５は、水圧により給水路２Ｂを塞ぐようにケース２の内周面２Ａに押し当てられる。
【００４７】
ケース２が収容部４に収容されていない状態であっても、ケース２は、水７を保持することができる。水７を貯留したケース２は、収容部４に収容される。上述のとおり、ケース２が収容部４に収容されることにより、キャップ５は、紙面上方向に押し上げられ、給水路２Ｂに対する閉塞状態を解除する。
【００４８】
蓋部材３がボイラータンク１Ｂに取り付けられ、カバー１６が本体ケース１７に取り付けられる。
【００４９】
給水路２Ｂを通して、少量の水７が加熱室６に供給される。操作部（図示せず）を操作して吸入器１００Ｂの電源を入れることにより、ヒータ９が駆動する。ヒータ９は加熱室６の内部に供給された水７を加熱する。ヒータ９により加熱室６の内部に蒸気が発生する。
【００５０】
蒸気は、連通路２Ｃを通過する。蒸気は、遮蔽部材８（の端面）とケース２の内周面２Ａとの間を通過し、ケース２（ボイラータンク１Ｂ）の上部に到達する。蒸気は、遮蔽部材８の上方、連通孔２Ｄおよび連通孔４Ｄを順次通過した後、噴出ノズル１０から飛散部材１１に向かって噴出される。噴出ノズル１０から飛散部材１１に向かって蒸気が噴出されることにより、飛散部材１１付近において蒸気圧（負圧）が発生する。
【００５１】
一方で、給排水タンク１３の内部に、所定の液体としてたとえば水１４が貯留されている。吸入チューブ１２は、飛散部材１１付近において発生した蒸気圧を利用して、水１４を給排水タンク１３から吸い上げる（ベンチュリー効果）。水１４は、噴出ノズル１０から噴出された蒸気とともに、吸入口１５から排出される。
【００５２】
（効果）
図６を参照して、所定の外力が吸入器１００Ｂに作用して、吸入器１００Ｂが矢印ＡＲＦ方向側（噴出ノズル１０が延在している側）に傾いたとする。ボイラータンク１Ｂ（ケース２）の内部に貯留されている水７は、噴出ノズル１０が接続されている連通孔４Ｄ（または連通孔２Ｄ）に向かって流れようとする。水７は、遮蔽部材８によりその通流を遮られる。水７は、連通孔２Ｄおよび連通孔４Ｄにまでは到達せず、遮蔽部材８の下方において滞留（停留）する。
【００５３】
吸入器１００Ｂによれば、吸入器１００Ｂが矢印ＡＲＦ方向側に傾いたとしても、水７が噴出ノズル１０に流れ込むことが抑制される。噴出ノズル１０が水７によって閉塞されることも抑制され、ボイラータンク１Ｂ（加熱室６）内に発生した蒸気は、噴出ノズル１０から良好に噴出される。
【００５４】
吸入器１００Ｂによれば、ケース２を収容部４から取り外すことができる。ケース２が収容部４から取り外されることにより、ケース２の外周面（加熱室６の表面６Ａ）および、ヒータ９の表面（加熱室６の表面６Ｂ）が露出する。加熱室６の表面６Ａ，６Ｂを容易に露出させることが可能となる。加熱室６の表面６Ａ，６Ｂにカルキ等の不純物が付着した場合であっても、不純物の付着を容易に視認することが可能となる。加熱室６の表面６Ａ，６Ｂにカルキ等の不純物が付着した場合であっても、これらの不純物を容易に除去することが可能となる。
【００５５】
吸入器１００Ｂによれば、ケース２がキャップ５を有している。ケース２が収容部４に収容されていない状態であっても、ケース２は、水７を保持することができる。ケース２に水を注ぐために、ケース２は頻繁に収容部４から取り外されることが可能となる。加熱室６の表面６Ａ，６Ｂの露出する機会が増えるため、加熱室６の表面６Ａ，６Ｂの表面に不純物が付着したとしても、早期に発見し、早期にこれらの不純物を除去することが可能となる。
【００５６】
遮蔽部材８は、ケース２の内周面２Ａから略水平に延在している。吸入器１００Ｂによれば、遮蔽部材８を利用することにより（たとえば指先を遮蔽部材８に引っ掛けてケース２を持ち上げることにより）、ケース２を収容部４から容易に取り外すことができる。
【００５７】
なお、吸入器１００Ｂにおいて、ケース２がキャップ５を有していなくてもよい。ケース２の下部側に設けられた給水路２Ｂは開口している。ケース２がキャップ５を有していない場合、ケース２は単独では水を保持することができない。ケース２が収容部４に収容された状態で、たとえばコップ（図示せず）などを使用して、ケース２に水７を注ぐようにすればよい。
【００５８】
［実施の形態２の第１変形例］
上述の実施の形態２における遮蔽部材８は、略半円形の薄板状に構成され、ケース２の内周面２Ａ上において、連通孔２Ｄの下方に設けられているが、この構造には限定されない。遮蔽部材８は、ケース２の内周面２Ａ上において、収容部４の連通孔４Ｄ（ケース２の連通孔２Ｄ）の下方を含むように設けられていればよい。
【００５９】
図８を参照して、たとえばボイラータンク１Ｃにおけるケース２のように、遮蔽部材８は上部側の一部が開口した筒状に形成されていてもよい。上部側の一部が開口した筒状の遮蔽部材８は、ケース２の内周面２Ａ上において、連通孔２Ｄの周囲を囲んでいる。遮蔽部材８は、内周面２Ａに対して遠ざかる方向に略水平に延在している。
【００６０】
遮蔽部材８は、連通孔２Ｄが設けられている側とは反対側のケース２の内周面２Ａまで延在している。遮蔽部材８は、連通路２Ｃ寄りの略半分の上方側において開口している。遮蔽部材８の下方部分は、ケース２の内周面２Ａ上において連通孔２Ｄの下方を含んでおり、且つ収容部４における連通孔４Ｄの下方を含んでいる。
【００６１】
このような遮蔽部材８が構成されたケース２を備えた吸入器であっても、上記の実施の形態２における吸入器１００Ｂと同様な効果を得ることができる。
【００６２】
図８に示すように、遮蔽部材８が筒状に形成されている場合には、遮蔽部材８は、連通孔２Ｄを囲んでいる位置から、ケース２の内周面２Ａに対して法線方向に沿うように延設されていてもよい。
【００６３】
図８に示すように、遮蔽部材８が、連通孔２Ｄが設けられている側から反対側のケース２の内周面２Ａまで延在している場合、遮蔽部材８はケース２とは別部材として製造されてもよい。この場合、遮蔽部材８はケース２に対して嵌挿（圧入）されることによって取り付けられることが可能である。
【００６４】
［実施の形態２の第２変形例］
上述の実施の形態２の第１変形例における遮蔽部材８は、上部側の一部が開口した筒状に形成されているが、この構造には限定されない。図９を参照して、たとえばボイラータンク１Ｄにおけるケース２のように、遮蔽部材８は、上部側が開口した角筒状に形成されていてもよい。遮蔽部材８はケース２とは別部材として製造されてもよい。
【００６５】
このような遮蔽部材８が構成されたケース２を備えた吸入器であっても、上記の実施の形態２における吸入器１００Ｂと同様な効果を得ることができる。
【００６６】
［実施の形態２の第３変形例］
上述の実施の形態２のボイラータンク１Ｂ（、実施の形態２の第１変形例のボイラータンク１Ｃ、および実施の形態２の第２変形例のボイラータンク１Ｄ）においては、ケース２の加熱室６を形成する外周面（６Ａ）、およびヒータ９の加熱室６を形成する表面（６Ｂ）が、鉛直方向に対して傾斜している態様に基づいて説明したが、この構造には限定されない。
【００６７】
ケース２の加熱室６を形成する外周面（６Ａ）、およびヒータ９の加熱室６を形成する表面（６Ｂ）は、すべて鉛直方向に沿うように（図６紙面上下方向に）延在していてもよい。
【００６８】
以上、本発明の発明を実施するための形態について説明したが、今回開示された形態はすべての点で例示であって制限的なものではないと考えられるべきである。本発明の範囲は特許請求の範囲によって示され、特許請求の範囲と均等の意味および範囲内でのすべての変更が含まれることが意図される。
【００６９】
たとえば、上述の実施の形態１〜実施の形態３においては、蒸気発生装置の一例として、蒸気圧を利用して吸入用の水を噴出する蒸気式の吸入器に基づいて説明したが、本発明は特にこれに限定されるものではない。本発明は、たとえば、美理容（エステ）用として顔または頭皮に蒸気を当てるスチーム噴射装置、全身の血行促進のために用いられるミストサウナ装置、または足の血行促進のために用いられる足湯器など、広範囲にわたって適用されることが可能である。
【符号の説明】
【００７０】
１Ａ，１ＡＡ，１Ｂ，１Ｃ，１Ｄ  ボイラータンク、２  ケース、２Ａ，４Ａ  内周面、２Ｂ，４Ｂ  給水路、２Ｃ，４Ｃ  連通路、２Ｄ，４Ｄ  連通孔、３  蓋部材、４  収容部、５  キャップ、６  加熱室、６Ａ，６Ｂ  表面、７，１４  水、８  遮蔽部材、９  ヒータ、１０  噴出ノズル、１１  飛散部材、１２  吸入チューブ、１３  給排水タンク、１５  吸入口、１６  カバー、１７  本体ケース、１７Ａ  操作部、１８  電源コード、２０  載置面、１００Ａ，１００Ｂ  吸入器、ＡＲ，ＡＲＦ，ＡＲＬ，ＡＲＲ，ＩＩＩ  矢印。
【図１】
2011193893.tif 000003
【図２】
2011193893.tif 000004
【図３】
2011193893.tif 000005
【図４】
2011193893.tif 000006
【図５】
2011193893.tif 000007
【図６】
2011193893.tif 000008
【図７】
2011193893.tif 000009
【図８】
2011193893.tif 000010
【図９】
2011193893.tif 000011